(57)【要約】【課題】三脚を携帯すること及びバッグに三脚を固定することができる三脚携帯具を提供すること。【解決手段】三脚１を携帯するための三脚携帯具であって、第１バンドと、第１バンドの一端に設けられる第１係合部材と、第１バンドの他端に設けられ、三脚の脚を固定する固定部材と、三脚の雲台側に固定される留具と、を具備し、固定部材は、三脚の３つの脚の内、１つの脚に固定される支持部材と、３つの脚に巻き付け可能な第２バンドと、第２バンドの一端に設けられる第２係合部材と、第２バンドの他端に設けられる、第２係合部材に着脱自在の第２被係合部材と、を有し、留具は、第１係合部材に着脱自在の第１被係合部材と、環の一部に開閉可能なゲートを備える連結具と、を一体に有する。【選択図】      図１
2018138978.tif 000002
【特許請求の範囲】
【請求項１】
三脚を携帯するための三脚携帯具であって、
第１バンドと、
前記第１バンドの一端に設けられる第１係合部材と、
前記第１バンドの他端に設けられ、前記三脚の脚を固定する固定部材と、
前記三脚の雲台側に固定される留具と、を具備し、
前記固定部材は、前記三脚の３つの前記脚の内、１つの前記脚に固定される支持部材と、３つの前記脚に巻き付け可能な第２バンドと、前記第２バンドの一端に設けられる第２係合部材と、前記第２バンドの他端に設けられる、前記第２係合部材に着脱自在の第２被係合部材と、を有し、
前記留具は、前記第１係合部材に着脱自在の第１被係合部材と、環の一部に開閉可能なゲートを備える連結具と、を一体に有する、
三脚携帯具。
【請求項２】
前記第１係合部材は、前記第１被係合部材及び前記第２被係合部材に着脱自在である請求項１に記載の三脚携帯具。
【請求項３】
前記第１バンド及び前記第２バンドは、長さを調節可能である請求項１に記載の三脚携帯具。
【請求項４】
前記第１係合部材、前記第１被係合部材、前記第２係合部材、前記第２被係合部材、及び、前記連結具は、樹脂材料により形成されている請求項１に記載の三脚携帯具。
【発明の詳細な説明】
【技術分野】
【０００１】
本発明は、三脚を携帯するときに用いられる三脚携帯具に関する。
【背景技術】
【０００２】
カメラ及びビデオカメラ等の撮影機材を所定の高さに固定するために三脚が用いられている。三脚は、例えば、撮影場所へ携帯されるときには、バッグに収容されたり、三脚携帯具により携帯される。三脚携帯具としては、三脚の雲台側および３本の脚を固定し、この２点で三脚を支持することで三脚を携帯可能とした三脚携帯具が知られている（例えば、特許文献１参照）。また、別の三脚の携帯方法としては、バッグの外側に固定するバンドを用いて、三脚をバッグに縛りつけて固定する方法も知られている。
【先行技術文献】
【特許文献】
【０００３】
【特許文献１】特開２００３−２５０６２０号公報
【発明の概要】
【発明が解決しようとする課題】
【０００４】
しかしながら、上記の三脚携帯具は、三脚のみを携帯できるが、バッグに三脚を固定して携帯することができない。一方、三脚をバッグに固定するバンドを用いた場合には、バッグに三脚を固定することはできるが、バンドを用いて三脚を携帯することができないという問題がある。また、三脚携帯具及び当該バンドの両方を携帯するとバッグが嵩張るという問題がある。  
そこで、本発明は、三脚を携帯すること及びバッグに三脚を固定することができる三脚携帯具を提供することを目的とする。
【課題を解決するための手段】
【０００５】
本発明によれば、三脚を携帯するための三脚携帯具であって、第１バンドと、前記第１バンドの一端に設けられる第１係合部材と、前記第１バンドの他端に設けられ、前記三脚の脚を固定する固定部材と、前記三脚の雲台側に固定される留具と、を具備し、前記固定部材は、前記三脚の３つの脚の内、１つの前記脚に固定される支持部材と、前記３つの脚に巻き付け可能な第２バンドと、前記第２バンドの一端に設けられる第２係合部材と、前記第２バンドの他端に設けられる、前記第２係合部材に着脱自在の第２被係合部材と、を有し、前記留具は、前記第１係合部材に着脱自在の第１被係合部材と、環の一部に開閉可能なゲートを備える連結具と、を一体に有する、三脚携帯具が提供される。
【発明の効果】
【０００６】
本発明によれば、三脚を携帯すること及びバッグに三脚を固定することができる三脚携帯具を提供することができる。
【図面の簡単な説明】
【０００７】
【図１】本発明の実施形態に係る三脚携帯具を三脚に取り付けた構成を示す斜視図。
【図２】同三脚携帯具の構成を示す説明図。
【図３】同三脚携帯具が取り付けられる三脚の本体部を示す斜視図。
【図４】同三脚携帯具の第１取付形態を示す斜視図。
【図５】同三脚携帯具の第２取付形態を示す斜視図。
【図６】同三脚携帯具の第２取付形態を示す概略図。
【発明を実施するための形態】
【０００８】
以下、本発明の実施形態に係る三脚携帯具２を説明する。なお、三脚携帯具２を説明する前に、三脚１について図１及び図３を用いて簡単に説明する。図１は、本発明の実施形態に係る三脚携帯具２を三脚１に取り付けた構成を示す斜視図である。
【０００９】
三脚１は、本体１０と、昇降台１１と、３本の脚１２と、雲台１３とを備えている。本体１０は、基部２０と、取付部２１と、を備える。本体１０は、昇降台１１及び３本の脚１２が取り付けられ、三脚１の要部を構成する。基部２０は、中心が開口する円柱状に形成される。取付部２１は、基部２０の周囲に等間隔に３つ設けられる。昇降台１１は、固定台３０と、棒体３１と、を備える。昇降台１１は、固定台３０に固定された雲台１３を軸方向に移動可能に構成される。固定台３０は、棒体３１の一端に設けられる。固定台３０の棒体３１と固定される側と反対側の主面には、雲台１３と螺合する雄ネジ部３２が設けられる。棒体３１は、基部２０の内径よりも小さな外径を有する。棒体３１は、基部２０を軸方向に移動可能に設けられる。
【００１０】
３本の脚１２は、３つの取付部２１にそれぞれ回転可能に設けられる。脚１２は、任意に長さに伸縮可能に構成される。脚１２の取付部２１と反対側の端部には、石突き２２が設けられている。
【００１１】
雲台１３は、固定台３０に固定される。具体的には、雲台１３は、固定台３０と対向する面に雌ネジ部を有し、固定台３０の雄ネジ部３２と螺合可能に構成される。なお、雲台１３は、昇降台１１を備えていない三脚１の場合には、基部２０に直接取り付けられていていることもある。
【００１２】
次に、上述に記載した三脚１を携帯するための、三脚携帯具２について図１及び図２を用いて説明する。図２は、本実施形態に係る三脚携帯具２の説明図である。三脚携帯具２は、第１バンド４０と、固定部材４６と、留具８０と、第２バンド４１と、第２係合具４２と、第３バンド４３と、第１係合具４４と、支持部材４５と、を備える。
【００１３】
第１バンド４０は、帯部５０と、第１接続部材５１と、第２接続部材５２と、調節具５３と、肩当て５４と、取付部材５５と、を備える。第１バンド４０は、一方向の長い帯状に形成される。第１バンド４０は、長さを調節可能に構成される。第１バンド４０は、三脚１に固定された第２バンド４１及び支持部材４５の間の三脚１の長手方向の長さよりも長く形成される。第１バンド４０は、第２バンド４１および第３バンド４３よりも幅方向に太く形成される。また、第１バンド４０は、肩当て５４の長手方向の端部に帯部５０を接続する構成とすることもできる。
【００１４】
帯部５０は、一端に第１接続部材５１が設けられる。帯部５０の他端は、調節具５３に固定される。帯部５０は、他端側を折り返し、この折り返し部分に第２接続部材５２が設けられる。帯部５０は、調節具５３を用いて、帯部５０の折り返し量を調節可能に構成される。帯部５０は、折り返し量を調節することにより、帯部５０の全長を調節可能に構成されている。
【００１５】
第１接続部材５１は、環状部材である。例えば、第１接続部材５１は、５角形状に形成されたリング状に構成される。第１接続部材５１は、取付部材５５の向きを帯部５０の長手方向に対して傾斜する方向に変更可能に構成される。第１接続部材５１は、帯部５０が接続される端部６０に対向する第１部分６１及び第２部分６２が端部６０に対し傾いて構成される。第１接続部材５１の材料としては、樹脂が用いられる。
【００１６】
第２接続部材５２は、第１接続部材５１と同様の５角形状の環状部材である。第２接続部材５２は、帯部５０の一端及び折り返し部分に設けられる。第１部分６１及び第２部分６２側には、第３バンド４３の一部と固定される取付部材５５が設けられている。第２接続部材５２の材料としては、樹脂が用いられる。
【００１７】
調節具５３は、環状に構成される。調節具５３は、内側に２つの開口を形成する仕切部７０を備える。仕切部７０には、帯部５０の他端が固定される。帯部５０の一端を一方の開口から、仕切部７０を越えて他方の開口へ通すことで、帯部５０の長さを調節可能とするものである。調節具５３の材料としては、樹脂が用いられる。
【００１８】
肩当て５４は、帯部５０に取り付けられる。肩当て５４は、第１バンド４０が肩から滑ること、及び、肩に係る荷重による肩の痛みを軽減可能に構成される。肩当て５４は、例えば、樹脂により成形される。肩当て５４は、帯部５０のうち肩に掛けたときに当たる部分に設けられる。肩当て５４は、例えば、肩と当たる面に凹凸等が設けられている。また、肩当て５４は、この形状に限られず、厚みのある布等と組み合わせて構成することもできる。
【００１９】
取付部材５５は、第１接続部材５１及び第２接続部材５２に設けられる。取付部材５５には、第１接続部材５１側においては、第２バンド４１が接続されている。また、取付部材５５には、第２接続部材５２側においては、第１係合具４４の第１係合部材４４ｂが接続されている。取付部材５５は、端部６０と、第１部分６１と第２部分６２とを有する。第１部分６１及び第２部分６２は、端部６０に対して傾斜して構成される。
【００２０】
固定部材４６は、第２バンド４１と、第２係合具４２と、支持部材４５とを備える。  
第２バンド４１は、一方向に長い帯状に形成される。第２バンド４１は、第１バンド４０よりも短く形成される。第２バンド４１は、調節具５３を備える。第２バンド４１は、第１バンド４０の他端に設けられる。第２バンド４１は、例えば、第１バンド４０に直交する方向に延設される。調節具５３は、大きさは異なるが、第１バンド４０の調節具５３と同様の構成であるため、その詳細な説明は省略する。第２バンド４１は、調節具５３により長さを調節可能に構成される。第２バンド４１は、長さを変えることにより種々の大きさの三脚１の３本の脚１２をまとめて支持することができる。
【００２１】
第２係合具４２は、第２係合部材４２ａと、第２被係合部材４２ｂとを備える。第２係合具４２は、第２係合部材４２ａ及び第２被係合部材４２ｂを着脱自在に構成する。第２係合具４２は、例えば、サイドリリースバンドである。第２係合具４２は、環状に曲げられた第２バンド４１の両端を接続可能に構成される。また、第２係合具４２は、第２係合具４２と同じ部材により構成されている。このため、第２係合部材４２ａは、第１被係合部材４４ａと着脱自在に構成されている。同様に、第２被係合部材４２ｂは、第１係合部材４４ｂと着脱自在に構成されている。本実施形態においては、第２係合部材４２ａは、第２バンド４１の一端に設けられる。第１係合部材４４ｂは、第１バンド４０の一端に設けられる。第２係合具４２の材料としては、樹脂が用いられる。
【００２２】
支持部材４５は、第１バンド４０の他端に設けられる。支持部材４５は、三脚１の３本の脚１２のうち、１本の脚１２に固定可能に構成される。支持部材４５は、例えば、面ファスナーにより構成される。例えば、支持部材４５が面ファスナーであるときは、図２に示すように、支持部材４５は、帯状に形成される。支持部材４５は、一方にフック状に起毛された面、他方にループ状の起毛された面を有する。支持部材４５は、例えば、第１バンド４０に直交する方向に延設される。支持部材４５は、フック状に起毛された面と、ループ状の起毛された面とを重ね合わせることで、三脚１の３本の脚１２の内の１本を支持可能に構成される。
【００２３】
留具８０は、第１係合部材４４ｂに着脱自在の第１被係合部材４４ａと、環の一部に開閉可能なゲートを備える連結具８１と、を一体に備える。  
留具８０は、連結具８１と、第１被係合部材４４ａとを第３バンド４３を介して一体に備える。第３バンド４３は、第１バンド４０の帯部５０よりも細く、短く形成される。留具８０は、三脚１の雲台１３及び雲台１３を固定する雄ネジ部３２を有する固定台３０の間に配置される。留具８０は、雄ネジ部３２を軸として回転可能な板状に形成される。留具８０は、第３バンド４３の一端に設けられる。例えば、留具８０は、第１金具９０ａと、第２金具９０ｂとを備える。第１金具９０ａは、スペーサーである。第１金具９０ａは、中央に雄ネジ部３２の外径よりも少し大径の内径を有する円板状に形成される。第１金具９０ａは、固定台３０及び雲台１３の間に固定される。第２金具９０ｂは、第１金具９０ａの外径よりも少し大径の内径を有する板状に形成される。第２金具９０ｂは、第１金具９０ａよりも薄く形成される。第２金具９０ｂは、一部に固定台３０の外周面から離間する方向に突出する突起部９１を有する。突起部９１には、第３バンド４３が挿通可能な開口部９２を有する。なお、留具８０は、金属材料に限られず、例えば、樹脂材料により形成されていてもよい。
【００２４】
連結具８１は、固定対象であるバッグの環状の部分に連結可能に構成される。具体的には、連結具８１は、一部に開閉できる部分を有する環状の部材である。連結具８１は、第３バンド４３の他端に設けられる。連結具８１の材料としては、樹脂が用いられる。連結具８１は、例えば、いわゆるカラビナを用いることができる。
【００２５】
第１係合具４４は、第１被係合部材４４ａと、第１係合部材４４ｂと、を備える。第１係合具４４は、第１被係合部材４４ａ及び第１係合部材４４ｂを着脱自在に構成される。第１係合具４４は、例えば、サイドリリースバンドである。第１係合具４４は、第１バンド４０と留具８０を第３バンド４３を介して接続する。第１被係合部材４４ａは、第３バンド４３の他端に設けられる。第１係合部材４４ｂは、取付部材５５を介して、第１バンド４０の第２接続部材５２に設けられる。第１係合具４４の材料としては、樹脂が用いられる。
【００２６】
続いて、三脚携帯具２の使用方法について図１乃至図６を用いて説明する。  
図４は、本実施形態に係る三脚携帯具２が三脚１に取り付けられている第１取付形態を示す斜視図である。図５は、本実施形態に係る三脚携帯具２を用いて、三脚１をバッグに固定した第２取付形態を示す斜視図である。図６は、第２取付形態の三脚携帯具２の構成を示す説明図である。
【００２７】
図１乃至図３に示すように、先ず使用者は、第３バンド４３と一体の留具８０を三脚１に固定する。具体的には、使用者は、三脚１の雲台１３を本体１０から取り外す。次に、使用者は、固定台３０の雄ネジ部３２に第１金具９０ａを取付ける。その後、使用者は、第１金具９０ａの外周を第２金具９０ｂの内周に合わせて、固定台３０に第２金具９０ｂを設置する。使用者は、再び雲台１３を本体１０と螺合する。これにより、第３バンド４３が三脚１に固定される。このとき、第２金具９０ｂは、第１金具９０ａよりも肉薄に形成されている。このため、雲台１３と本体１０とが螺合すると、第２金具９０ｂよりも肉厚の第１金具９０ａのみが締め付けられる。一方、第１金具９０ａよりも肉薄の第２金具９０ｂは、締め付けられることがない。このため、第２金具９０ｂは、第１金具９０ａを軸として回転可能に構成される。
【００２８】
続いて、図４に示すように、三脚携帯具２を第１取付形態として使用する場合の使用方法について説明する。  
使用者は、第３バンド４３の他端に設けられている、第１被係合部材４４ａを第１バンド４０の第２接続部材５２に設けられている第１係合部材４４ｂと係合する。これにより、第１バンド４０及び第３バンド４３が接続される。すなわち、第１バンド４０の第１係合部材４４ｂ側が雲台１３側に留具８０により固定される。
【００２９】
続いて、使用者は、三脚１の３本の脚１２の内の１本に支持部材４５を巻き付けて固定する。これにより、支持部材４５は、１本の脚１２と固定される。次に、使用者は、第２バンド４１を３本の脚１２にまとめて巻き付け可能な長さに調節具５３を用いて、第２バンド４１の長さ調節する。使用者は、第２バンド４１を３本の脚１２に巻き付ける。使用者は、第２係合具４２の第２係合部材４２ａ及び第２被係合部材４２ｂを係合することで、３本の脚１２を第２バンド４１で固定する。これにより、三脚１は、雲台１３側を留具８０、脚１２側を第２バンド４１により支持される。第２バンド４１及び第３バンド４３は、第１バンド４０に接続されている。これにより、使用者は、第１バンド４０の帯部５０の長さを使用者が持ちやすい長さに調節し、肩当て５４が使用者の肩に当たる位置で三脚１を携帯することができる。
【００３０】
続いて、第１取付形態の三脚携帯具２を用いて、三脚１を固定対象であるバッグに固定する方法について説明する。第１取付形態は、片方の肩に掛けて使用する肩掛けバッグに三脚１を固定して携帯する場合に用いられる。なお、肩掛けバッグとは、物を入れること可能な袋と、その袋の開口部に使用者の肩にバッグを掛けるためのバンドを備えているバッグである。
【００３１】
使用者は、上述の図４に示す形態の三脚携帯具２をそのまま使用することができる。具体的には、使用者は、肩掛けバッグの肩掛けバンドの一端側に連結具８１を掛け、三脚１の雲台１３側を肩掛けバッグに固定する。これにより、三脚１の雲台１３側が肩掛けバッグに支持される。次に、使用者は、第２バンド４１の第２係合具４２の係合を一旦外す。その後、使用者は、第２バンド４１を肩掛けバッグのバンドの他端側に第２係合具４２を用いて固定する。これにより、三脚１の３本の脚１２側が肩掛けバッグに支持される。なお、第２バンド４１の長さに余裕がある場合には、第２バンド４１で３本の脚１２をまとめたまま、肩掛けバッグの他端に固定することもできる。上記のように、三脚携帯具２を用いて三脚１を肩掛けバッグに固定することにより、使用者は、三脚１を肩掛けバッグに携帯することができる。
【００３２】
続いて、図５及び図６に示すように、三脚携帯具２を第２取付形態として使用する場合の使用方法について説明する。  
第２取付形態としては、固定対象として背中に背負うことができるバッグ、いわゆるリュックサック１００に三脚１を固定する場合を例として説明する。なお、図４に示す、三脚１を雲台１３側と脚１２側の２つの支点で支持する形態を基準の形態として、第２取付形態の取付動作を説明する。
【００３３】
使用者は、第１係合具４４の係合を外す。これにより、第１バンド４０及び第３バンド４３が分離される。次に、使用者は、第２係合具４２の係合を外す。次に、使用者は、三脚１をリュックサック１００の片側に配置する。次に、使用者は、第１バンド４０をリュックサック１００の胴部１１０に巻き付ける。次に、使用者は、第２係合部材４２ａ及び第１係合部材４４ｂを係合する。次に、使用者は、連結具８１をリュックサック１００の開口部１１１側の先端に設けられた持ち手部１１２に掛ける。持ち手部１１２は、環状に形成されている。このため、連結具８１は、持ち手部１１２に固定される。三脚１は、一方をリュックサック１００の胴部１１０に固定され、他方をリュックサック１００の持ち手部１１２に固定される。これにより、三脚１は、リュックサック１００に上記の２点で固定される。なお、図６においては、第１バンド４０の内側に支持部材４５により固定されている三脚１が配置されている構成を示しているが、これに限られない。例えば、第１バンド４０の外側に支持部材４５により１本の脚１２が支持された三脚１を配置し、胴部１１０に固定する構成とすることも可能である。
【００３４】
このように構成された本実施形態に係る三脚携帯具２によれば、三脚１を携帯するときのストラップとして使用すること及び三脚１をバッグに固定するバンドとして使用することができる。
【００３５】
また、このように構成された本実施形態に係る三脚携帯具２によれば、雲台１３側の第３バンド４３、肩掛けバッグの肩掛けバンドの一端側に接続される第２バンド４１、１本の脚１２を固定する支持部材４５、第２バンド４１及び第３バンド４３を接続する第１バンド４０、並びに、肩掛けバンドの他端側に連結具８１を接続する。これにより、三脚携帯具２は、三脚１を肩掛けバックに固定することができる。
【００３６】
また、三脚携帯具２によれば、第２係合具４２の第２係合部材４２ａ及び第１係合具４４の第１係合部材４４ｂは、着脱自在である。さらに、連結具８１は、バッグ側の持ち手部１１２と連結することができる。これにより、三脚携帯具２は、三脚１の雲台１３側をリュックサック１００に持ち手部１１２に連結具８１を用いて固定することができる。また、三脚携帯具２は、第１バンド４０を用いてリュックサック１００の胴部１１０に脚１２側を巻き付け、第２係合部材４２ａ及び第２被係合部材４２ｂを係合することにより、三脚１をリュックサック１００の胴部１１０に固定することができる。このように、三脚携帯具２は、リュックサック１００の胴部１１０及び持ち手部１１２の２点で三脚１を支持することができる。これにより、三脚携帯具２は、三脚１を安定してリュックサック１００に固定することができる。
【００３７】
また、三脚携帯具２は、三脚１に取り付けられたままでも、三脚１を使用することができる。具体的には、三脚携帯具２は、第１バンド４０及び第３バンド４３の接続、並びに、第２係合具４２の係合を外しても、支持部材４５が１本の脚１２に固定されている。このため、三脚１を使用後に再度、三脚携帯具２を三脚１に取り付けるときの取付け作業を軽減することができる。
【００３８】
また、三脚携帯具２は、第１バンド４０及び第３バンド４３を第２接続部材５２を介して接続している。このため、第２接続部材５２が取付部材５５側に傾斜を有していることで、第２取付形態のときに第１バンド４０が三脚１の長手方向に対して直交する方向に三脚１に巻き付けられる向きであるときの第２バンド４１と第１バンド４０との曲げ角度を浅くすることができる。このため、例えば、経年使用によるバンドの劣化を軽減することができる。
【００３９】
また、三脚携帯具２は、連結具８１、第２係合具４２、第１係合具４４、第１接続部材５１及び第２接続部材５２の材料として、樹脂材料を用いている。これにより、三脚１を携帯しているときに、これらの部材が三脚１と当たった場合でも三脚１を傷つけることがない。
【００４０】
三脚携帯具２は、支持部材４５として、面ファスナーを用いている。これにより、支持部材４５は、脚１２が傷つくことなく、また、安定的に脚１２を支持することができる。  
また、支持部材４５として、面ファスナーを用いていることにより、脚１２だけでなく、バッグの一部に巻き付けることで、簡単に三脚携帯具２をバッグに固定する部材として利用することも可能である。
【００４１】
また、連結具８１として、いわゆるカラビナを用いている。これにより、幅広の肩掛けバンドを有する肩掛けバッグとも容易に連結することができる。
【００４２】
なお、本発明は、上記実施形態に限定されるものではなく、実施段階ではその要旨を逸脱しない範囲で種々に変形することが可能である。例えば、第２係合具４２及び第１係合具４４は、相互に着脱可能としているが、これに限られず、第２係合具４２及び第１係合具４４をバッグに付属している係合具と接続することも可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４３】
１…三脚、２…三脚携帯具、１０…本体、１１…昇降台、１２…脚、１３…雲台、２０…基部、２１…取付部、２２…石突き、３０…固定台、３１…棒体、３２…雄ネジ部、４０…第１バンド、４１…第２バンド、４２…第２係合具、４２ａ…第２係合部材、４２ｂ…第２被係合部材、４３…第３バンド、４４…第１係合具、４４ａ…第１被係合部材、４４ｂ…第１係合部材、４５…支持部材、４６…固定部材、５０…帯部、５１…第１接続部材、５２…第２接続部材、５３…調節具、５５…取付部材、６０…端部、６１…第１部分、６２…第２部分、７０…仕切部、８０…留具、８１…連結具、９０ａ…第１金具、９０ｂ…第２金具、９１…突起部、９２…開口部、１００…リュックサック、１１０…胴部、１１１…開口部、１１２…持ち手部。  
【図１】
2018138978.tif 000003
【図２】
2018138978.tif 000004
【図３】
2018138978.tif 000005
【図４】
2018138978.tif 000006
【図５】
2018138978.tif 000007
【図６】
2018138978.tif 000008